(57)【特許請求の範囲】
【請求項１】
ハウジング（１２）と、少なくとも一つの静止ブレード（２８）と、前記少なくとも一つの静止ブレードと相対して往復動するように形成された少なくとも一つの移動ブレード（３０）とを含むブレードセット（２６）と、を含み、前記少なくとも一つの静止ブレード（２８）が第１カッティング・エッジ（３２、８２）と第２カッティング・エッジ（３４、８４）を有し、前記少なくとも一つの移動ブレード（３０）が前記第１カッティング・エッジ（３２，８２）に関して往復動するために形成された第１移動エッジ（８６）と、前記第２カッティング・エッジ（８４）に関して往復動するために形成された第２移動エッジ（８８）とを含み、前記ハウジング（１２）が前記ブレードのために前記ハウジング上で唯一のカッティング部所を規定し、前記カッティング部所では、カッティングが前記カッティング部所に於いてのみ前記ブレードによって実行される様に構成されており、前記ブレードセット（２６）が、少なくとも、前記第１カッティング・エッジ（８２）と前記第１移動エッジ（８６）が前記カッティング部所に配置されると共に、前記第２カッティング・エッジと前記第２移動エッジが、前記ハウジング上で前記カッティング部所とは反対側にある不使用位置に配置されている第１位置と、前記第２カッティング・エッジ（８４）と前記第２移動エッジ（８８）が前記カッティング部所に配置される第２位置との間で、前記ハウジング上で回転可能なように係合可能である、ヘア・クリッピング・デバイス。
【請求項２】
前記ハウジング（１２）が、前記ブレードセット（２６）がこのブレードセットが前記第１位置または前記第２位置にあることには関係なく前記カッティング部所にあるときに、単一グリップをユーザが維持するように形成された単一グリップ位置をユーザに提供するように形成されている請求項１に記載のヘア・クリッピング・デバイス。
【請求項３】
二つの移動ブレードがあり、第１移動ブレード（７０）が前記第１カッティング・エッジ（８２）に対応する広い移動エッジ（８６）を備えており、また第２移動ブレード（７２）が前記第２カッティング・エッジ（８４）に対応する狭い移動エッジ（８８）を備えている請求項１に記載のヘア・クリッピング・デバイス。
【請求項４】
前記移動ブレード（７０、７２）が、前記広いエッジと狭いエッジ（８６、８８）が互いに背中合わせの関係になるように方向付けられている請求項３に記載のヘア・クリッピング・デバイス。
【請求項５】
前記第１カッティング・エッジと移動エッジ（８２、８６）が前記第２カッティング・エッジと移動エッジ（８４、８８）よりも広い請求項１に記載のヘア・クリッピング・デバイス。
【請求項６】
前記カッティング部所に配置されていない前記カッティング及び移動エッジが前記カッティング部所から隔離されており、非選択ブレードによる所望されていないカッティングを阻止する請求項１に記載のヘア・クリッピング・デバイス。
【請求項７】
ブレードセット（２６）が前記第１位置または前記第２位置にあることには関係なく更にカム従動子（６２）を具備し、該カム従動子（６２）が、前記少なくとも一つの静止ブレード（２８）に対して前記移動ブレード（７０、７２）の少なくとも一つを往復動するように形成されている請求項３に記載のヘア・クリッピング・デバイス。
【請求項８】
前記ブレードセットが、前記第１位置または前記第２位置のいずれかにある単一駆動部材（５８）によって駆動されるように形成されたカム従動子（６２）を含んでいる請求項１に記載のヘア・クリッピング・デバイス。
【請求項９】
前記ハウジング（１２）に取り付けられ前記ブレードセット（２６）を駆動する駆動用電動機（４８）をさらに含み、また偏心駆動部材（５８）を含み、前記ブレードセットがフォロワ・チェンバー（６０）を備えたカム従動子（６２）を有しており、これによって前記ブレードセットが前記第１位置または前記第２位置のいずれかにあるとき、前記広いエッジ（３２）と前記狭いエッジ（３４）両方が前記駆動部材によって往復動されるように形成されている、請求項１に記載のヘア・クリッピング・デバイス。
【発明の詳細な説明】
【０００１】
【発明の属する技術分野】
本発明はヘアをクリッピングするためのデバイス、より詳しくは口ひげ、あごひげおよび頬ひげ（もみあげ）のような顔面ヘア（毛）のトリミングだけでなく、頭部または身体のいずれのヘアのトリミングのタッチアップまたは普通のトリミングに使用するように設計されたヘア・クリッピング・デバイスに関する。
【０００２】
【従来の技術】
口ひげ、あごひげおよび頬ひげのような個人のスポーツ風顔面ヘアおよび顧客として個人を有しているプロのヘア・スタイリスト両者にとって共通の問題は、このような顔面ヘアのグルーミングとトリミングおよび（または）首、耳、目の辺りにある他の迷い毛のトリミング、あるいは他の軽い普通のヘア・トリミングで生じたヘア・クリッピングの収集である。トリミングが電動トリマーまたはクリッパーでなされようが、普通のはさみでなされようが、普通比較的短いヘア・クリッピングが、トリミングされた個人の身体上には言うに及ばず、トリミングの際に使用された鏡の近辺のカウンタ、シンクまたはテーブルの広範囲に渡って飛び散る傾向にある。人の衣類上のクリッピングは特に見苦しい。このようなトリミングの結果による散乱は、電動トリマーが使用されたときにより悪くなることが判明している。これは往復動ブレードが、クリッピングを広範囲に飛散させる傾向を有しているからである。
【０００３】
ヘア・スタイリストのために特に設計された、問題を解決する方式において、クリッパー本体のアウトレットに連結可能な真空ホースをが電動ヘア・クリッパーに設けられている。この方式はいくぶん扱いにくく、別体の真空ユニットを必要とし、また家庭用にはそう適していない。
ヘア・トリミングを収集する問題に的を絞った別の試行として、一般譲渡された米国特許第５、０７５、９７１号があり、鼻、耳および（または）目の近辺に生えているようなデリケートなヘアのためのコードレス・トリマーを開示している。このデバイスはコンパクトで、比較的低電力で、またデリケートな部分の正確なカッティングのために設計されているので、より大きい動力とカッティング容量を伴うユニットに対してこれを理解したニーズがある。さらに、コードレスとＡＣ電源ユニット両方が所望される。電力が大きくなると、付加的なクリッピングが発生し、またより効果的な真空システムが必要になる。
【０００４】
顔面ヘアに伴う個人の別の事柄は、鼻、唇および耳の近辺を、「粗い」トリミングを行うのと同じデバイスで正確にトリミングする能力である。これに応答して、ある従来の電動クリッパーまたはシェーバーが、主カッティング・ブレードに付属品として補助ポップアップ・トリミング・ブレードを提供している。しかし、これらの付属トリミング・ブレードの一つの欠点は、これらが主ブレードに近接して配備されており、またある場合においては両ブレード・セットがヘアをカットし、一方で一つのセットのみがそうすることを意図している。結果として不均一なトリミング作業になり、またユーザを失望させることになる。ある場合において、意図されていないブレードのセットがユーザのヘアまたは皮膚を引っ張ることもある。さらに、ある場合において近接した主ブレードと補助ブレードがトリミングされるべきエリアの見える範囲を不明瞭にする。
【０００５】
【発明が解決しようとする課題】
従って、本発明の第１の目的は、粗いトリミングと入念なトリミング両方を実行するための容易にアクセスでき、かつ、見ることができるブレードを備えた改良ヘア・クリッピング・デバイスを提供することである。
本発明の別の目的は、容易にヘアを収集するための内部真空部を備え、かつ、粗いトリミングと入念なトリミング両方を行なうブレードを備え、真空部が粗いトリミングまたは入念なトリミングが行われるか否かに関係なくクリッピングの収集に有効なように形成された改良ヘア・クリッピング・デバイスを提供することである。
【０００６】
本発明のさらに別の目的は、粗いトリミングと入念なトリミング両方を行なうブレードを備え、ユーザが同じ手の位置を保ちながらトリミングのタイプを選択することができ、またカッティング部所を容易に見ることができる改良ヘア・クリッピング・デバイスを提供することである。
本発明のなおも別の目的は、入念なトリミングと粗いトリミングの間の選択ができる回転可能ブレードセットを特徴とし、かつ、選択された位置にシャーシを着脱可能に固定するためのロッキング集合体を特徴とする改良ヘア・クリッピング・デバイスを提供することである。
【０００７】
本発明のさらなる目的は、入念なトリミングと粗いトリミングの間の選択ができる回転可能ブレードセットを特徴とし、トリミングの一つのタイプが選択されたときに、非選択ブレードが作業に加わらず、選択されたブレードによるカッティングとスナッギングの妨害を最小にする改良ヘア・クリッピング・デバイスを提供することである。
本発明のなおもさらなる目的は、入念なトリミングと粗いトリミングの間の選択ができる回転可能ブレードセットと櫛集合体を特徴とし、かつ、ブレードセットと櫛集合体両方が単一ボタンで解放できるような形態をなすロッキング機構を備えた改良ヘア・クリッピング・デバイスを提供することである。
【０００８】
【課題を解決するための手段】
上述の目的は、粗いトリミングと入念なトリミング能力両方を提供する広いブレードと狭いブレードの回転するブレードセットを備えた本発明のヘア・クリッピング・デバイスによって叶えられ、またはこれを越える。一度ユーザが実行されるトリミングのタイプを選択すると、非選択ブレードが所望のカッティング個所から十分に離れ、主カッティング動作を不明瞭にしたり、妨害することが阻止される。本発明のクリッピング・デバイスの別の特徴は、内部真空システムである。好ましい実施形態において、真空システムはクリッパ・ブレードに動力を供給する同じ電動機によって動力が供給される。クリッピングはハウジング内に収集され、また処理のために容易に取り外すことができる。広いブレードと狭いブレード両方は、単一駆動部材によって駆動される回動可能シャーシー上に設けられている。選択されたどちらのブレードも、クリッピングが収集されるような真空インテークに十分近接配備されている。選択されたサイズのブレードは、正しい位置に着脱可能にロックされ、また櫛集合体もクリッパー・ハウジングに固定されている。狭いブレードが選択されたとき、トリミングされるべきデリケートな個所により大きく接近させ、かつこれらの個所がより大きく見えるように吸引口をさらに突出させる。櫛が設けられているとき、単一ボタンが櫛と回転ブレードセットのハウジングに対する位置との係合を解放する。
【０００９】
より詳しく説明すると、本発明はハウジングと、ハウジングと係合可能であり、少なくとも一つの静止ブレードとこの静止ブレードに対して往復動するように形成された少なくとも一つの移動ブレードを含むブレードセットを備えたヘア・クリッピング・デバイスを提供する。静止ブレードは第１カッティング・エッジと第２カッティング・エッジを有し、少なくとも一つの移動ブレードが第１カッティング・エッジに対して往復動するように形成された第１移動エッジと、第２カッティング・エッジに対して往復動するように形成された第２移動エッジを含んでいる。ハウジングはブレードのためのカッティング部所を規定し、またブレードセットが、第１エッジが使用される第１位置と第２エッジが使用される第２位置との間でハウジングに回転可能に係合されている。
【００１０】
別の実施形態において、ヘア・クリッピング・デバイスは真空を発生し、かつ、真空インテーク（吸引口）を有する装置を収容するハウジングを含むように設けられている。ブレード・シャーシも設けられ、かつ、ハウジングと係合可能であり、また、少なくとも一つの静止ブレードとこの静止ブレードに対して往復動するように形成された少なくとも一つの移動ブレードを含むブレードセットを有している。静止ブレードは第１カッティング・エッジと第２カッティング・エッジを有し、少なくとも一つの移動ブレードが、第１カッティング・エッジに対して往復動するように形成された第１移動エッジと、第２カッティング・エッジに対して往復動するように形成された第２移動エッジを含んでいる。
【００１１】
カッティング部所はブレードのためのハウジングによって規定され、またブレード・シャーシは第１カッティング・エッジと第１移動エッジがカッティング部所に配置される第１位置と、第２カッティング・エッジと第２移動エッジがカッティング部所に配置される第２位置との間でハウジングと回転可能に係合可能である。カッティング部所は真空インテークに近接しており、これによってブレードのカッティング動作によって生じたヘア・クリッピングが、選択されたカッティング部所に関係なく真空インテークに吸引される。
【００１２】
ここで図１と２を参照して、本発明との併用に適したヘア・クリッピング・デバイスを概略的に１０で示す。図示したクリッパーは概してトリマーとして表わされているが、本発明の特徴と原理は、ＡＣライン・コードまたはバッテリのいずれかで稼働されるクリッパーおよびシェアレーを含む他の従来のタイプの電動ヘア・カッティング装置にも適用することを意図している。デバイス１０は前端ないしカッティング・エンド１４と対向後端ないしパワ・エンド１６を有するハウジングを含んでいる。本適用例の目的で、デバイス１０は図１に示した方向でユーザの手中に保持され、デバイス１０の頂部が１８で、またその底部が２０で示されている。
【００１３】
カッティング・エンド１４はブレード集合体２２を特徴とし、ブレード・シャーシ２４を含み、これに少なくとも一つの静止ブレード２８と少なくとも一つの移動ブレードを有するブレードセット２６が固定されている。本適用例において、「シャーシ」は、ブレードの取り付けられるプラットフォームないし支持部材を意味し、またハウジング１２に対し移動可能である。好ましいシャーシ２４は、概して垂直方向に延長する壁を伴うほぼ平坦なプラットフォームであるが、他の形態のブレード支持部材、例えば、棒状、円盤状、ターンテーブル等も考慮される。さらに、一片または多数の片の静止ブレードと移動ブレードも考慮される。ヘア・クリップ技術として周知のように、カッティング作業は、静止ブレード２８に対して移動ブレード３０の直線往復動によって得られる。好ましい実施形態において、次に説明するように、本発明の特徴の一つはブレードセット２６にあり、また、特にブレード・シャーシ２４がハウジング１２に対して回転可能であって、ユーザに対して「粗い」または「入念な」トリミングのいずれかを、第１のないし相対的に広いブレード・エッジ３２と第２のないし狭いブレード・エッジ３４の一つで選択的に実行する能力を提供する。第１および第２エッジは、その適用例に依存して交互に狭いと広いになっているか、または両者とも狭いか、または両者とも広くなっていることを意図している。
【００１４】
デバイス１０の別の特徴は内部真空システムであって、ハウジング１２のカッティング・エンド１４に形成された真空インテーク３６と、ハウジングの側部４０に示された少なくとも一つ、また、好ましくは二つの排気アウトレット３８から明白である。パワ・エンド１６において、当該技術において周知のように、バッテリ４２（再充電可か、または再充電不可のいずれでも）が、バッテリ・コンパートメント４４（図２）内に配備され、および（または）リセプタクル４６がＡＣアダプタ（図示省略）のために設けられている。デバイス１０は周知のようにＡＣライン電力コードを備え、壁電流からか、またはバッテリ電力からの動作能力を有することを意図している。
【００１５】
ここで図２を参照して、デバイス１０の動力源は電動機４８である。好ましい実施形態において、デバイス１０はドイツ特許第ＤＥ１９６１７４４８Ａ１に開示されている磁石４９を備えており、ここでは参照例として取り入れるが、電動機のシャフトにバイアス力を加え、また電動機４８の寿命を長くしている。電動機４８はスイッチ５０によって制御される。好ましい実施形態において、スイッチ５０はロックアウト・ボタンを特徴とし、このボタンが押圧され、スイッチが作動されるまで、電動機の作動が阻止される。これがデバイス１０の引き出し内で、または旅行中のスーツケース内での偶発的な作動を阻止するとともに、また、バッテリ４２の放電を阻止する。再充電可能なバッテリ４２が装填されている場合に、このバッテリを再充電するためにデバイス１０が変圧器にプラグインされたときに、ＬＥＤ５３が視覚指示されるのが好ましい。電動機４８は駆動エンド５４と対向ファン・エンド５６を有している。駆動エンド５４において、偏心駆動部材５８が、カム従動子６２によって規定され、かつ、ここから延長しているフォロワ・チェンバ６０と相係合する形態になっている。クリッパー技術において周知のように、カム従動子は、駆動部材５８の偏心回転動作を静止ブレードに対する移動ブレードの直線往復移動に変換し、はさみのようなカッティング動作をするのに使用される。共通譲渡された米国特許第５、５７９、５８１号は従来のカム従動子機構を開示しており、ここでは参考例として取り入れる。
【００１６】
ここで図４−８を参照して、カム従動子６２は、上から見たときに、ほぼ「Ｈ」字状をなし、概して平坦なブレード接触部材６４を有しており、ここからフォロワ・チェンバー６０が直角方向に突出し、またブレード接触面６６が、フォロワ・チェンバー６０と突出している側から対向して突出している。ブレード接触面６６は、少なくとも一つ、好ましくは二つの移動ブレード７０、７２と係合するための位置付けラグ６８を含んでいる。二つの移動ブレード７０、７２間の製造および（または）アラインメント差を考慮して、少なくとも一つ、好ましくはいくつかのレベリング・リブ７４がブレード接触面６６に設けられている。多数のリブがカム従動子６２の特定端に設けられているとき、リブは共通ラインに沿って位置付けられることが重要である。好ましい実施形態において、リブ７４は対応する移動ブレードの面と係合するために長尺である。リブ７４の重要な機能は、移動ブレード７０、７２と係合して、移動ブレードの製作公差中の差によって生じたスペースを吸収し、少なくとも一つの静止ブレード２８に抗して各移動ブレードをバイアスする均一な力を発生させることである。リブ７４の数は適用例に適するように変わるが、二つの移動ブレード７０、７２が使用される場合、二つのリブが各移動ブレードのために設けられ、デバイス１０に対して総計４個のリブとなる
【００１７】
カム従動子６２は対称ではなく、広い端７８と狭い端８０を有していることも理解できる。これは好ましい実施形態において、デバイス１０が広いカッティング・エッジ３２と狭いカッティング・エッジ３４を備えているからである。しかし、カム従動子６２は別の方式として、カッティング・エッジ３２、３４が概して等しい幅である場合、ほぼ等しい幅の端を有していることを意図している。基本的に、カム従動子はブレードのできる限り全体に渡って均一な張力を発生するように設計される。従って、少なくとも一つの静止ブレード２８は第１ないし広いカッティング・エッジ８２と第２ないし狭いカッティング・エッジ８４を有している。同様にして、少なくとも一つ、好ましくは二つの移動ブレード７０、７２が、第１カッティング・エッジ８２に対して往復動するように形成された第１ないし広い移動エッジ８６と、第２カッティング・エッジ８４に対して往復動するように形成された第２ないし狭い移動エッジ８８とを含んでいる。
【００１８】
図２と４から分かるように、移動ブレード７０、７２はブレードセット２６内に配備され、これによってそれぞれのカッティング・エッジ８６、８８が互いに背中合わせの関係にある。この状況において、「背中合わせ」とは互いに相対的に一つの移動ブレードの好ましくは１８０°の配置を意味している。移動ブレードの他の相対的角度配置は、その適用例に依存するものと考えられている。
【００１９】
上述したように、好ましい実施形態において、デバイス１０は広いカッティング・エッジ３２と狭いカッティング・エッジ３４を備えている。これはユーザが広いエッジであごひげ、口ひげ、もみあげまたは同様のものに対して「粗い」トリミングを実行でき、また比較的狭いエッジで細いエッジないし入念なトリミングをすることを可能にする。この適用例の状況において、用語「ブレード」または「カッティング・エッジ」は、当該技術において周知である複数の隔置歯を伴ったクリッパー・ブレードの従来タイプのものを意味する。クリッピング・デバイスのカッティング作業は、互いに相対的に一連の歯の直線往復動によって得られる。第１および第２エッジ３２、３４のサイズとタイプは所望により変更することができ、両ブレードは適用例に依存して同じサイズとタイプとすることができ、また逆にしてもよい。当該技術において知られているように、それぞれのブレードの歯のピッチないし間隔を適用例に適するように変えることが考慮される。上述したように、単一の静止ブレード２８が好ましいが、図３の破線２８’で示したように静止ブレードの二重または他の複数の構成も使用可能である。必要に応じて付加的な取り付けホール９２を設けてもよい。
【００２０】
従って、カム従動子６２は、対応する移動ブレード７０、７２上の対応するスロット（図示省略）または他の構成と係合させるための複数の位置付けラグ６８（図８（Ｂ）と８（Ｃ）に最もよく示す）を備えているのが好ましい。この方式において、カム従動子６２の直線往復動が移動ブレード７０、７２に伝送され、所望のカッティング動作が実行される。さらに、通例のように、ばね９４（図４に最もよく示す）または他のタイプのバイアス部材が設けられ、カム従動子６２と移動ブレード７０、７２にバイアスを加えて、静止ブレード２８とバイアスされた摺動係合させる。
【００２１】
ここで図２−５を参照して、このデバイス１０の別の特徴は、ブレードセット２６がハウジング１２に回転係合されるとともに、ブレード・シャーシ２４がハウジング１２に取り付けられ、次に、これがハウジング上で回転可能に係合される。ブレード・シャーシ２４はブレードセット２６のハウジングとして作用し、またエッジ８２、８６を含む第１カッティング・エッジ３２がカッティング部所に配置される第１位置と、エッジ８４、８８を含む第２カッティング・エッジ３４がカッティング部所に配置される第２位置との少なくとも間でハウジング１２と回転可能に係合される。この状況において、カッティング部所は９６で示され、また真空インテーク３６と動作上近接する位置となり、これによってブレード２６のトリミング作業によって生じたヘア・クリッピングが真空インテーク内に吸引される。
【００２２】
このデバイス１０の関連する利点は、ブレード・シャーシ２４が第１位置または第２位置にあることには関係なく、ブレードセット２６がカッティング部所９６にあるときにユーザが単一の把持位置を維持できるように、ハウジング１２が構成されていることである。ここで図３と４を参照して、デバイスにアクセス性を高めて、デリケートな個所、すなわち、口、鼻、耳および（または）目の回りのヘアをトリミングし、またカッティング部所９６の視覚性を高めるために、ブレードセット２６は、狭いカッティング・エッジ８４と対応する狭い移動エッジ８８がフォロワ・チェンバー６０の中心線ＣＬから距離Ｄに変位し、さらに駆動部材５８の回転軸からずれるようにして形成されている。この距離Ｄは広いカッティング・エッジ８２および広い移動エッジ８６の変位の対応する距離Ｄ’よりも大きくなっている。従って、狭いエッジまたはブレード３４、８４、８８は、広いカッティング・エッジまたはブレード３２、８２、８６よりも真空インテーク３６をさらに越えて延長している。このデバイスの真空インテーク３６と真空装置は、狭いブレード・エッジ３４または広いブレード・エッジ３２のいずれが使用されるかに関係なく、ブレードセット２６によって生じた多数のヘア・クリッピングを収集するのに十分である。当然、あるクリッピングはなおも真空インテーク３６から逃げるものもある。それにもかかわらず、狭いエッジ８４、８８の付加的な延長部が、ブレード・エッジ２４のデリケートな個所へのアクセス性をたかめるとともに、この位置にいるユーザに対してカッティング部所９６の視覚性を高める。二つの広いエッジがブレードセット２６に設けられている場合において、エッジの一つが排気インテーク３６をさらに越えて延長するような寸法になっていない。
【００２３】
このデバイス１０の別の重要な特徴は、カッティング・エッジ３２、３４の一つのみが一度に真空インテーク３６に作動接近することである。さらに注意しなければならないのは、ブレードセット２６が第１位置または第２位置のいずれにあることには関係なく、カム従動子６２が、静止ブレード２８に対して少なくとも一つ、好ましくは両方の移動ブレード７０、７２を同期して往復動させるように構成されていることである。カッティング作業において同期移動している間においてさえも、非選択ないし不使用ブレードが、カッティング部所９６で選択ブレードから十分に離れた位置を維持し、これらがカッティングないしトリミング操作を妨害しないようになっている。さらに、ユーザの皮膚を引っ張ることが回避されている。この目的のために、好ましい実施形態において、不使用ブレード（カッティング部所９６においてはでなく）が、カッティング部所でブレードから少なくとも約９０°、また好ましくは約１８０°離れて配置される。他の変位の大きさも適用例に依存して考慮される。
【００２４】
ハウジング１２との回転係合を達成するために図２、４および５を参照して、ブレード・シャーシ２４は、半径方向延長フランジ１００を伴う垂下したほぼ円筒状カラー９８を有している。このカラー９８がフランジ１００をシャーシ２４の底面１０２からスペースを保たせている。
【００２５】
ハウジング１２のカッティング・エンド１４において、端壁１０４がカラー９８を回転可能に収容される寸法に形成された開口部１０６を有し、またフランジ１００が端壁の内部で係止機能を提供している。クリッパー技術において一般的であるように、ハウジング１２は二つの垂直方向対称半体を備えている。組み立ては一方の半体に要素を装填し、次に組み立てられた半体の頂部に他方の半体を載置し、また二つの半体を一緒に固定して達成される。この場合において、開口部１０６は二つの半体に規定され、また組み立てられたときにカラー９８の回りで閉封される。好ましい実施形態において、Ｏ−リング１０８（図５に最もよく示す）が端壁１０４とフランジ１００間に挿入され、高質の回転作動感を提供するとともに、所望しない移動が阻止されている。
【００２６】
フランジ１００は少なくとも一つ、また好ましくは二つのノッチ１１０（図５に最もよく示す）を備えており、互いにほぼ１８０°の間隔で配置されているのが好ましい。これらのノッチ１１０は、カッティング部所９６に対して選択された位置にブレード・シャーシ２４を係止するのに使用される。概略的に示されたロッキング機構１１２が設けられ、ブレードセット２６が着脱可能に固定され、また特にブレード・シャーシ２４がカッティング部所９６の第１および第２位置の選択された一つに固定されるように形成されている。
【００２７】
好ましい実施形態において、ロッキング機構はハウジング１２内に配置されたロッキング部材１１４の形状をなすとともに、閉止位置に向かってバイアスされる形態になっている。バイアス力は、ハウジング１２内にプラスチックのロッキング部材１１４を取り付けることによって提供され、固有のばね力を有しているのが好ましい。このロッキング機構１１４は、ソケット状ポイント１１６でハウジング１２内に保持され、またブレード・シャーシと係合するための第１ラグ１１８と次により詳細に説明する櫛集合体１２２と係合するための第２ラグ１２０を有している。さらに、ロッキング部材１１４は固有のバイアス力に打ち勝ち、かつ、ラグ１１８をノッチ１１０の選択された一つとのバイアス係合を解放するためのアクチュエタ・ボタン１２４を有している。もしある場合は、櫛集合体１２２も同様にこの時点で解放される。ボタン１２４が押圧されるまで、ラグ１１８はノッチ１１０と係合し、ブレード・シャーシ２４を選択されたカッティング位置に固定して、所望しない回転を阻止している。
【００２８】
ここで図２および９−１３を参照して、櫛集合体１２２をより詳細に説明する。当該技術において知られているように、交換可能アタッチメント櫛はヘア・クリッピング・デバイスとして知られており、その代表的なものとして一般譲渡されている米国特許第６、０７９、１０３号があり、ここでは参考例として取り入れるが、ユーザは均一な長さにヘアをカットする補助として使用できる。
【００２９】
このデバイス１０において、櫛集合体１２２はハウジング１２に固定可能であり、櫛ベース１２６とベースに摺動係合された櫛部材１２８を含んでいる。この櫛集合体１２２の特徴の一つは、櫛部材１２８が、引込位置（図９−１１）と伸張位置（図１２−１３）の間で櫛ベース１２６に対して選択的に、かつ、摺動調節可能である。本発明の目的のために、櫛集合体１２２は二つの主要素１２６、１２８を含んでいるのが好ましいが、等価な櫛が単一ユニットであることが意図されている。例えば、単一櫛がハウジング１２に対して伸張位置と引込位置間で調節可能である。従って、用語「櫛」と「櫛集合体」は単一の要素と多数要素の櫛両方を意味する。
【００３０】
より詳しく説明すると、櫛ベース１２６は上方から見たときにほぼ「Ｃ」字状のカウル（通気帽）１３０を有し、またカウルの隔置端１３４間にブレード開口部１３４を規定している。カウル１３０はその上方端が上方パネル１３６によって実質上囲まれている。さらに、櫛ベース１２６は、ブレード開口部１３２がブレード・シャーシ２４を囲まない部分となるようにして、シャーシを実質的に囲む寸法に形成されている。
【００３１】
上方パネル１３６は、櫛部材１２８のための摺動経路を規定するための少なくとも一つ、また好ましくは二つのガイド・リブ１３８を有している。加わうるに、一対の外方スライド・トラック１４２が櫛ベース１２６のサイド・エッジに沿って形成され、ここで上方パネル１３６がカウル１３０の上方エッジと一致している。カウル１３０はまたスライド・トラック１４２の一端に係止部１４４を有し、櫛部材１２８の過度な引込みを阻止している。
【００３２】
ベース・パネル１４６は、櫛部材１２８の中央部であり、またほぼ矩形状ブレード・アパーチャ１４８を規定し、カウル１３０のブレード開口部１３２と連絡している。ベース・パネル１４６からの突出部が、半径頂点１５２を伴うほぼ三角形状を有する複数の隔置平行フィンないしリブ１５０である。ベース・パネル１４６の横方向エッジが、外方向スライド・トラック１４２と摺動係合する垂下フード状スカート部１５４を形成している。ベース・パネル１４６の下方側は、櫛ベース１２６上でガイド・リブ１３８を摺動係合するための少なくとも一つのレール１５６も有している。
【００３３】
調整機構が、櫛ベース１２６に対する櫛部材１２８の伸張量を伸張位置と引込位置間で制御が提供されるとともに、櫛集合体１２２がデバイス１０から取り外された場合においてもこの伸張調節が維持される。この調節機構は、櫛ベース１２６の上方パネル１３６の下方側１６０に軸方向ピボット点に取り付けられた回転可能アクチュエータ１５８を含み、また偏心配置ラグ１６２を有している。アクチュエータ１５８は、部分的に歯付き外形エッジを有する平坦な円形ディスクが好ましい。ハンドル１６６がディスクから半径方向に突出し、かつ、カウル１３０内のスロット１６８に係合している。
【００３４】
偏心ラグ１６２が櫛ベース１２６の上方パネル１３６内の円弧状スロット１７０（想像線で示す）と摺動係合されている。さらに、ラグ１６２は櫛部材１２８のベース・パネル１４６内のアパーチャ１７２を通って突出する十分な長さである。従って、ハンドル１６６のスロット１６８内での直線往復動がアクチュエータ１５８の回転を生ぜしめる。これと同時に、アクチュエータ１５８の回転がラグ１６２をして円弧状スロット１７０内で移動せしめ、アパーチャ１７２と係合して、櫛部材１２８をして、案内リブ１３８とスライド・トラック１４２に沿って直線方向に走行せしめられる。この調節機構は櫛部材１２８にアクチュエータ１５８とラグ１６２を備え、また櫛ベース１２６にアパーチャ１７２を設けた形態にすることも考慮される。
【００３５】
櫛ベース１２６に関して櫛部材１２８の選択された延長部を維持するために、垂下タブ１７４が上方パネル１３６の下方側に設けられ、またアクチュエータ１５８のエッジ１６４上の歯とラチェット係合するように構成、配置されている。従って、櫛部材１２８の望まない動きが回避され、またユーザは伸張動作量を触知でき、さらに潜在的可聴指示を受けられる。
【００３６】
デバイス１０、また特に櫛集合体１２２の別の特徴は、ヘア・クリッピングの真空インテーク３６への吸引を容易にする偏向機能を提供することである。主偏向面が、櫛部材１２８のサイド・エッジ上に好ましくは設けられたフード付きスカート部１５４であるが、単一櫛上に設けることも意図している。より詳しく説明すると、ブレードセット２６近傍にあるスカート部の自由端１７６もまた真空インテーク３６の近傍にある。このように、これらはブレードセット２６の動作によって横方向に投入されたクリッピングを受け入れ、インテーク３６に偏向する。この偏向はカウル１３０の両端１３４上の突出部１７８によって高められ、この突出部は概して対応するスカート部１５４と垂直方向に一直線をなし浮遊クリッピングの飛び出しに対するより広い偏向バリアを形成している。
【００３７】
ここで図１０−１３を参照して、櫛集合体１２２が図１０と１１の引込位置から図１２と１３の伸張位置に伸張すると、櫛集合体の偏向動作がより広範囲に、すなわち、偏向面積の大きさが大きくなることが分かる。特に、フード付きスカート部１５４が真空インテーク３６をさらに越えて進行し、増大された偏向能力が発揮される。ブレード・シャーシ上で真空インテーク３６に向かって突出する概して三角形状延長部１７９が偏向動作を助けている。
【００３８】
ここで図２を参照して、ロッキング部材１１４がハウジング１２に対して櫛集合体１２２を係止するのに使用されている。実際に、このデバイス１０の別の特徴は、ロッキング部材もラグ１２０を有していて、カウル１３０のスロット１８０に係合している。スロット１８０内のラグ１２０の係合がカウルを、また概して櫛集合体１２２をハウジング１２に係止している。ボタン１２４を押圧することにより、ラグ１２０が離合されて、櫛集合体１２２が取り外せる。従って、ボタン１２４は、櫛集合体が設けられたときに、二つの機能を同時に発揮する。さらに、視覚性を高め、また、敏感な個所に近づくために、ブレード・シャーシ２４が第１位置にあるときのみ櫛集合体１２２がハウジング１２と係合可能で、比較的広いブレード・エッジ３２によってカットされるのが好ましい。従って、狭いブレード・エッジ３４を使用するために、櫛集合体１２２は取り外さなければならない。
【００３９】
ここで図１、２および１４−１５を参照して、このデバイス１０の別の特徴はカットされたヘア・クリッピングを収集するための真空を発生することである。真空インテーク３６に加えて、ハウジング１２がインテークをファン・チェンバー１８４に連結する真空経路１８２を規定している。この経路１８２は断面がほぼ矩形状をなし、また好ましい実施形態においては、ハウジング１２の人間工学的形態に普通追従している。完全に気密ではないが、経路１８２はデバイス１０の電動機４８、ブレードセット２６およびバッテリ・コンパートメント４４から遮蔽されている。経路１８２の第１部分１８６はハウジング１２の長軸とほぼ平行になっている。しかし、経路１８２の第２部分１８８はバッテリ・コンパートメント４４とファン・チェンバー１８４間に配備され、また第１部分１８６に対して約９０°の角度が付けられている。両部分１８６、１８８は互いにに流体連絡され、さらに、ファン・チェンバーとも連絡されている。
【００４０】
ファン１９０はファン・チェンバー１８４内に回転可能に配備され、かつファンの取り付けられた電動機４８のファン・エンド５６によって規定された回転軸を有している。好ましい実施形態において、ファン１９０は、ブレードセット２６に電力を供給する同じ電動機４８によって駆動されるが、別のファン・モータを設けることもできることは理解できる。他のファン駆動機構が間接歯車ないしプーリー機構のような別の方法として設けてもよいことを意図している。ファン１９０は回転したときに、空気を真空インテーク３６に吸引し、第１部分１８６から第２部分１８８に取り入れ、さらにファン・チェンバー１８４に入れるように形成されている。空気がファンの回転軸にほぼ平行な第１位置１８６からファン・チェンバー１８４へ流れ方向が１８０°展開すると、空気流に乗せられたヘア・クリッピングが流れから脱落する傾向にある。この流路を矢印Ｆで示す。
【００４１】
デバイス１０の別の特徴は、真空経路１８２の第２部分１８８がクリッピング・トラップとしてハウジング１２から取り外せることである（図１に最もよく示す）。より詳しく説明すると、第２部分１８８は、四つの壁１９２と一つの床１９４を備えたオープン・トレイないしボックスとして形成されている。ボックスの開口端は経路１８２の第１部分１８６と連絡され、またファン・チェンバー１８４とも連絡されている。空気流の１８０°の展開のために、クリッピングが空気流から第２部分１８８に落下する。第２部分１８８の下方端１９６がハウジング１２のセグメント１９８に固定されるか、またはこれと一体的にモールドされ、必要とするときにクリッピングを除去するためのハンドルとして機能する。第２部分１８８は第１部分１８６内の空気の流れに対して垂直方向に取り外し可能である。
【００４２】
クリッピングのファン・チェンバーへの侵入と、ファン１９０および（または）電動機４８への付着を阻止するために、図１で正しい位置に、また分解して示したフィルター２００がファン・チェンバー１８４の入口２０２に配備されている。このフィルター２００は、ハウジングから取り外し可能に第２部分１８８内に嵌合される寸法に作られたフレーム２０４と、このフレームに固定されるフィルター布２０６を含んでいる。布２０６のメッシュ・サイズはクリッピングの侵入を阻止するのに十分細かいのもであるが、空気流を通すのに十分な大きさである。フィルター２００の紛失を回避するために、フレーム２０４は、好ましくはその各サイドに少なくとも一つ、好ましくは二つのピボット突起部２０７が設けられている。これらの突起部２０７は壁１９２上の対応する凹所（図示省略）と係合し、フレーム２０４の第２部分１８８に対する回動を許容している。これがデバイス１０からフィルターを取り外さずに第２部分１８８を空にし、またフィルター布２０６を清浄にすることを可能にしている。しかし、フレーム２０４は第２部分１８８から取り外し可能にすることもできる。
【００４３】
フレーム２０４の機能は、フィルター布２０６を入口２０２からファン・チェンバー１８４へ軸方向に変位させることである。入口直径に対するフィルター布２０６の実質上より大きいエリアに沿ったこの変位が、フィルター内に入り込み電動機４８の動きを取れなくする多数のクリッピングの確率を少なくする。動作について説明すると、フレーム２０４が真空経路１８２の第２部分１８８にスナップ留めされる。
【００４４】
ここで図１４と１５を参照して、ファン１９０は少なくともある最小の性能特性を備えていて、適切にクリッピングをハウジング内に取り入れる必要がある。一つの特徴は、ファンが２、５００ＲＰＭと９、０００ＲＰＭの間の範囲で作動したときに、十分な真空を引き出さなければならないことである。この範囲は従来の電気ヘ・クリッピング・デバイスに意図されたのもである。好ましい実施形態において、所望の電動機速度は約７、０００ＲＰＭであり、また２．５アンペア、１．２ボルトの電動機４８である。２、５００ＲＰＭ以下の速度では、不十分な真空しか得ることができず、また９、０００ＲＰＭ以上の速度では、過度な電力を使用し、電動機の摩滅を生じることが分かる。これに反して、従来の真空装置のファンはずっと速い速度、１３、０００−１５、０００ＲＰＭの範囲、またはこれ以上で作動する。別の設計要素は、十分な空気の移動が真空経路１８２内で発生させ真空圧力を生成するとともに、クリッピングを経路の第２部分に移動させなければならないことである。換言すれば、ファン１９０の特定する直径に対して、目的はウォータ・リフトを最高にし、かつ、ＣＦＭ（一分当りの立方フィート）で空気流を最大にすることである。低い空気流ではヘア・クリッピングを飛散させる機械的利点に打ち勝てず、またクリッピングをインテーク３６に吸引できない。
【００４５】
ファン１９０の直径はファン・チャンバー１８４のサイズによって決定される。ファン１９０は入口２０２の壁近くまで延長し、しかも自由に回転しなければならない。好ましい実施形態において、ファンの直径は約１．５インチであり、実際に１．４２インチである。７、０００ＲＰＭで作動するファンは、０．７インチのウォータ・リフトで少なくとも６ＣＦＭの空気流を発生する。さらに、ファン・チェンバー１８４への入口２０２が約０．７００インチの直径を有しているとき、上述のサイズのファンはうまく作動することが分かっている。これらは規定されたファン１９０の性能を発揮するための最小の所望値である。他のファン寸法も異なる条件を生じて有効な真空を生成することが理解できる。真空経路１８２の断面積は、真空チェンバー１８４への入口２０２の直径とほぼ同じであることも好ましい。
【００４６】
好ましい実施形態において、ファン１９０は隔置された５個の円弧状ブレード２０８を含み、また円形ベース２１０に固定されている。各ブレード２０８の後端２１２はベースの外形に達している。各ブレード２０８の前端は尖っている。ブレードの数と形状は適用例に適するように変えることができる。
【００４７】
動作について説明すると、一度電動機４８が作動されると、ファン１９０が回転を開始し、空気をインテーク３６通して引き入れ、真空経路１８２からファン・チェンバー１８４を通して、排気アウトレット３８に送る。一度ヘア・クリッピングが始まると、ファン１９０によって発生された空気流がクリッピングを経路１８２に吸引するのに十分になる。上述したように、本発明の特徴は、櫛集合体１２２とブレード・シャーシ２４が、ヘア・クリッピングの経路１８２への偏向を助ける形態に作られている。ブレードセット２６が真空インテーク３６の垂直方向上方に配備されるようにデバイス１０が方向付けられたときに、クリッピングの収集が重力によって高められる。図１に示す位置でのデバイス１０の使用は、クリッピングの収集量を増す。さらに、図１から分かるように、インテーク３６自体はこの偏向を助けるような形態に形成されるか、または少なくともヘア・クリッピングの収集を容易にしている。好ましい実施形態において、インテーク３６はフレーア付き端壁２０８を有しており、ブレード・シャーシ２４上の三角形状延長部１７９とほぼ一直線をなし、またフード付きスカート部１５４の端部１７６近傍にある。
【００４８】
真空インテーク３６のためのこの形態の別の特徴は、トリミングの行われたカウンタやシンクの表面またはその上方からクリッピングを清掃するのに使用できることである。ユーザは単にデバイス１０をインテーク３６が清掃すべき表面に近接するように位置付けるだけである。真空インテーク３６とカッティング・エンド１４の形態のさらに別の特徴は、概してユーザの頬または他の皮膚表面に当てられたときに、真空シールが発生しないように形成されていることである。インテーク３６と、ブレード・シャーシ２４の三角形延長部１７９にブレード７０、７２を近接させることがこの機能を助けている。
【００４９】
一度電動機４８が駆動されると、ファン１９０が回転を開始するだけでなく、ブレード・シャーシ２４がハウジング１２に関して固定されている位置に関係なく、ブレードセット２６も往復動を開始する。粗いトリミングは、櫛集合体１２２を使用して、あるいは使用せずにカッティング部所９６にある広いブレード・エッジ３２で達成される。櫛集合体１２２が正しい位置にあるときに、櫛ベース１２６に対する櫛部材１２８の伸張長さは、スロット１６８内のハンドル１６６の位置によって決定される。クリッピングのインテーク３６内への付加的な偏向は、櫛部材１２８がさらに伸張されるにつれて達成される。
【００５０】
クリッピングが発生すると、真空経路１８２の第２部分１８８に収集される。トリミングの完了時点で、部分１８８がフィルター２００を伴いハウジング１２から取り外され、クリッピングが捨てられる。ユーザがいくぶん細かいないしはていねいなトリミングを行ないたい場合は、ボタン１２４を押圧して、櫛集合体１２２を外せるようにするとともに、狭いエッジ３４がカッティング部所９６にくるまで、ブレード・シャーシ２４の回転を可能にする。次に、ボタン１２４が解放され、対応するノッチ１１０内のラグ１１８間の係合を許容する。次に細かいレベルのトリミングが、トリマーできるエリアがよりよく見られ、近づくとこができるように真空インテーク３６をさらに越えて突出する狭いエッジ３４で実行される。
【００５１】
ユーザの衣類またはその回りを清浄にするには、真空インテーク３６を清浄にすべきエリア近傍にデバイス１０を向けることによって達成される。次に、収集されたクリッピングは図１に示したように真空経路の第２部分１８８を摺動することによって除去することができ、この時点でフィルター２００も清浄される。
【００５２】
本発明の多数カッティング・エッジを有する回転ブレードセットを備えたヘア・クリッピング・デバイスの特定する実施形態を示して説明したが、変形例および修正例がより広い観点で、また、次の請求項に説明した本発明から逸脱することなく実行できることは当該技術に習熟した人にとって理解できるであろう。
【図面の簡単な説明】
【図１】図１は本ヘア・クリッピング・デバイスの分解斜視図。
【図２】図２は櫛集合体を伴う図１のクリッピング・デバイスの組み立てバージョンを示す垂直方向断面図。
【図３】図３は回転位置にあるブレードセットとブレード・シャーシを示す図１のクリッパーの部分端面図。
【図４】図４は図３の線４−４に沿い、かつ普通に示した方向から見た断面図。
【図５】図５は図４のブレード・シャーシの反転斜視図。
【図６】図６は本ブレードセットのカム従動子の斜視図。
【図７】図７は図６のカム従動子の底面図。
【図８】図８（Ａ）は図７の線８−８に沿った断面図であり図８（Ｂ）及び図８（Ｃ）は図８（Ａ）の部分拡大図である。
【図９】図９は引込位置で示す本櫛集合体の平面図。
【図１０】図１０は図９の櫛集合体の底面図。
【図１１】図１１は図９の櫛集合体の側面図。
【図１２】図１２は図９の櫛集合体の伸張位置にある底面図。
【図１３】図１３は図１２の櫛集合体の側面図。
【図１４】図１４は本クリッピング・デバイスのファンの正面図。
【図１５】図１５は図１４のファンの側面図。
【図１】
0004242582.tif 000002
【図２】
0004242582.tif 000003
【図３】
0004242582.tif 000004
【図４】
0004242582.tif 000005
【図５】
0004242582.tif 000006
【図６】
0004242582.tif 000007
【図７】
0004242582.tif 000008
【図８】
0004242582.tif 000009
【図９】
0004242582.tif 000010
【図１０】
0004242582.tif 000011
【図１１】
0004242582.tif 000012
【図１２】
0004242582.tif 000013
【図１３】
0004242582.tif 000014
【図１４】
0004242582.tif 000015
【図１５】
0004242582.tif 000016